(57)【特許請求の範囲】
【請求項１】
カードの識別子と店舗の識別子とを受信し、
受信した前記カードの識別子と受信した前記店舗の識別子とを対応付けて記録し、
受信した前記カードの識別子について、前記カードの識別子と対応付けて記録された前記店舗の識別子の種類が所定数以上であるか否かを判定し、
前記カードの識別子について、前記カードの識別子と対応付けて記録された前記店舗の識別子の種類が所定数以上であると判定すると、前記カードの識別子に対応付けられた金銭的価値情報の利用を許可しない状態から許可する状態に、前記カードの識別子に関する管理情報を変更し、
前記管理情報が前記金銭的価値情報の利用を許可する状態である場合に、前記カードの識別子に対応付けて記録された前記店舗の識別子で識別される店舗での前記金銭的価値情報の利用を許可し、
前記管理情報が前記金銭的価値情報の利用を許可する状態である場合でも、前記カードの識別子に対応付けて記録された前記店舗の識別子で識別される店舗以外の店舗では、前記金銭的価値情報の利用を許可しない、
処理をコンピュータに実行させることを特徴とするカード管理プログラム。
【請求項２】
前記受信する処理は、
前記カードの識別子を読み取り可能なカードリーダと通信可能な前記店舗に設置された端末から、前記カードの識別子と前記店舗の識別子とを受信することを特徴とする請求項１に記載のカード管理プログラム。
【請求項３】
カードの識別子と店舗の識別子とを受信し、
受信した前記カードの識別子と受信した前記店舗の識別子とを対応付けて記録し、
受信した前記カードの識別子について、前記カードの識別子と対応付けて記録された前記店舗の識別子の種類が所定数以上であるか否かを判定し、
前記カードの識別子について、前記カードの識別子と対応付けて記録された前記店舗の識別子の種類が所定数以上であると判定すると、前記カードの識別子に対応付けられた金銭的価値情報の利用を許可しない状態から許可する状態に、前記カードの識別子に関する管理情報を変更し、
前記管理情報が前記金銭的価値情報の利用を許可する状態である場合に、前記カードの識別子に対応付けて記録された前記店舗の識別子で識別される店舗での前記金銭的価値情報の利用を許可し、
前記管理情報が前記金銭的価値情報の利用を許可する状態である場合でも、前記カードの識別子に対応付けて記録された前記店舗の識別子で識別される店舗以外の店舗では、前記金銭的価値情報の利用を許可しない、
処理をコンピュータが実行することを特徴とするカード管理方法。
【請求項４】
カードの識別子を読み取り可能なカードリーダと、
前記カードリーダと通信可能な店舗に設置された端末と、
前記端末から前記カードの識別子と前記店舗の識別子とを受信し、受信した前記カードの識別子と受信した前記店舗の識別子とを対応付けて記録し、受信した前記カードの識別子について、前記カードの識別子と対応付けて記録された前記店舗の識別子の種類が所定数以上であるか否かを判定し、前記カードの識別子について、前記カードの識別子と対応付けて記録された前記店舗の識別子の種類が所定数以上であると判定すると、前記カードの識別子に対応付けられた金銭的価値情報の利用を許可しない状態から許可する状態に、前記カードの識別子に関する管理情報を変更し、前記管理情報が前記金銭的価値情報の利用を許可する状態である場合に、前記カードの識別子に対応付けて記録された前記店舗の識別子で識別される店舗での前記金銭的価値情報の利用を許可し、前記管理情報が前記金銭的価値情報の利用を許可する状態である場合でも、前記カードの識別子に対応付けて記録された前記店舗の識別子で識別される店舗以外の店舗では、前記金銭的価値情報の利用を許可しないカード管理装置と、
を有することを特徴とするカード管理システム。
【発明の詳細な説明】
【技術分野】
【０００１】
本発明は、カード管理プログラム、カード管理方法およびカード管理システムに関する。
【背景技術】
【０００２】
従来、鉄道駅や観光地など決められた地点を訪れ、訪れた地点でのスタンプを収集するスタンプラリーが行われている。スタンプラリーでは、スタンプが所定の個数揃うと景品が与えられることがある。また、コンビニエンスストアにおいても、コンビニエンスストアへの来店機会を増やすことを目的として、スタンプラリーが行われることがある。
【０００３】
関連する先行技術としては、例えば、スタンプラリー参加者が、ＩＣカードを所持して、複数の指定場所でＩＣカード読取端末装置と交信することによりポイントがスタンプラリー参加者に付与され、ポイントが景品に交換される技術がある。
【先行技術文献】
【特許文献】
【０００４】
【特許文献１】特開２０１１−１０７９３２号公報
【発明の概要】
【発明が解決しようとする課題】
【０００５】
しかしながら、従来技術では、店舗においてスタンプラリーのサービスを提供する際、店舗にかかる負担は大きい。例えば、コンビニエンスストアで、スタンプラリーを行う場合、景品を用意しておき、景品をスタンプラリーの参加者に渡す際、店員が、スタンプが揃ったことを確認して、景品を渡すという手間が発生する。
【０００６】
一つの側面では、本発明は、所定数の店舗を巡回した人に景品を与えるサービスを提供する際、該サービスを提供する店舗にかかる負担を軽減させるカード管理プログラム、カード管理方法およびカード管理システムを提供することを目的とする。
【課題を解決するための手段】
【０００７】
本発明の一側面によれば、本発明は、カードの識別子と店舗の識別子とを受信し、受信したカードの識別子について、所定の複数の店舗の識別子を受信したか否かを判定し、カードの識別子について、所定の複数の店舗の識別子を受信したと判定すると、カードの識別子に対応する所定の処理を許容しない状態から許容する状態に、カードの識別子に関する管理情報を変更するカード管理プログラム、カード管理方法およびカード管理システムを提供することを目的とする。
【発明の効果】
【０００８】
本発明の一態様によれば、所定数の店舗を巡回した人に景品を与えるサービスを提供する際、該サービスを提供する店舗にかかる負担を軽減させることができるという効果を奏する。
【図面の簡単な説明】
【０００９】
【図１】図１は、実施の形態にかかるカード管理方法の一実施例を示す説明図である。
【図２】図２は、カード管理システム２００のシステム構成例を示す説明図である。
【図３】図３は、カード管理装置１０１のハードウェア構成例を示すブロック図である。
【図４】図４は、利用店舗管理ＤＢ２２０の記憶内容の一例を示す説明図である。
【図５】図５は、カード管理ＤＢ２３０の記憶内容の一例を示す説明図である。
【図６】図６は、スタンプ台６００の一例を示す説明図である。
【図７】図７は、スタンプ用紙７００の一例を示す説明図である。
【図８】図８は、カード管理装置１０１の機能的構成例を示すブロック図である。
【図９】図９は、カード管理装置１０１のカードアクティベーション処理手順の一例を示すフローチャートである。
【図１０】図１０は、カード管理装置１０１のカード利用可否判断処理手順の一例を示すフローチャートである。
【図１１】図１１は、カード管理装置１０１のカードアクティベーション処理の一実施例を示す説明図である。
【図１２】図１２は、カード管理装置１０１のカード利用可否判断処理の一実施例を示す説明図である。
【発明を実施するための形態】
【００１０】
以下に図面を参照して、本発明にかかるカード管理プログラム、カード管理方法およびカード管理システムの実施の形態を詳細に説明する。
【００１１】
（実施の形態）
図１は、実施の形態にかかるカード管理方法の一実施例を示す説明図である。図１において、カード管理装置１０１は、カードが利用可能な状態であるかを管理するコンピュータである。
【００１２】
ここで、カードとは、データを記録できる媒体である。例えば、カードには、紙片、ＩＣ（Ｉｎｔｅｇｒａｔｅｄ  Ｃｉｒｃｕｉｔ）カード、磁気カード等が存在する。また、利用可能な状態とは、カードに関連付けられた価値情報を利用することができる状態である。
【００１３】
例えば、価値情報には、金銭的価値情報があり、この場合、利用可能な状態とは、カードを店舗等で商品を購入する際に利用できることである。また、価値情報には、ダウンロードに関する情報があり、この場合、利用可能な状態とは、カードを利用して、音楽やゲームのアイテム等をダウンロードできることである。また、店舗とは、商品等を販売するところであり、現実の店舗、仮想の店舗の両方を含む。例えば、店舗には、コンビニエンスストアがある。
【００１４】
ここで、コンビニエンスストアにおいて、スタンプラリーが行われることがある。スタンプラリーの参加者は、コンビニエンスストアを訪れ、訪れたコンビニエンスストアでスタンプを収集し、スタンプが揃った際に景品がスタンプラリーの参加者に渡される。
【００１５】
この場合、コンビニエンスストアでは、スタンプが揃った際にスタンプラリーの参加者に渡す景品を用意して、レジのカウンタにて店員が、スタンプが揃ったことを確認して、景品をスタンプラリーの参加者に渡している。
【００１６】
このように、コンビニエンスストアでは、店舗ごとに景品を用意しておき、景品をスタンプラリーの参加者に渡すという手間が発生する。
【００１７】
一方、アクティベーションにより、金銭的価値情報を有するプリペイドカードの利用を許可する技術がある。例えば、プリペイドカードの利用を許可するフラグをサーバに設定する処理を実行、即ちプリペイドカードをアクティベーションしておき、プリペイドカードを利用する際に、当該フラグに基づいて、プリペイドカードの利用を許可するか否かをサーバが判断する。これにより、当初、無価値であったプリペイドカードを価値があるものとすることができる。
【００１８】
そこで、実施の形態では、カード管理装置１０１は、スタンプラリーの参加者が訪れた店舗から送信されるカードＩＤ（Ｉｄｅｎｔｉｆｉｃａｔｉｏｎ）と店舗ＩＤを、所定数の店舗から受信したと判定すると、金銭的価値を有するカードを利用可能にする。これにより、利用可能になった金銭的価値を有するカードを景品とすることができる。このため、コンビニエンスストアでは、スタンプラリーの参加者に景品を渡す手間をかけなくてもよく、コンビニエンスストアでスタンプラリーを行う際の負担が減少する。
【００１９】
以下、実施の形態にかかるカード管理装置１０１の一実施例について説明する。図１の例では、所定数の店舗は、２つの店舗であり、スタンプラリーの参加者がプリペイドカードを持って、最初に店舗１０２を訪れ、次に店舗１０３を訪れた例である。
【００２０】
（１）カード管理装置１０１は、カードＩＤと店舗のＩＤとを受信する。ここで、カードＩＤとは、カードを識別するための識別子である、例えば、カードＩＤは、カードに印刷されたバーコードまたはＱＲ（キューアール）コード（登録商標）より記録されることができる。また、カードＩＤは、カードに内蔵されたＩＣにカードＩＤを記録することもできる。また、店舗ＩＤは、店舗を識別するための識別子である。
【００２１】
また、例えば、カード管理装置１０１は、店舗の端末またはカードにスタンプを押すスタンプ台等からカードＩＤと店舗ＩＤとを受信することができる。
【００２２】
図１の例では、カード管理装置１０１は、店舗１０２からカードＩＤ「１」と店舗ＩＤ「１０２」とを受信する。
【００２３】
（２）カード管理装置１０１は、受信したカードＩＤについて、所定の複数の店舗ＩＤを受信しない場合、管理情報を変更せず、所定の処理を許容しない状態を変更しない。ここで、所定の複数の店舗ＩＤを受信しない場合とは、受信したカードＩＤについて、カード管理装置１０１が受信した店舗ＩＤが所定の個数以下の場合である。また、管理情報とは、カードの状態が所定の処理を許容する状態であるか否かを管理する情報である。また、所定の処理を許容する状態とは、カードを有する機能の利用が許容される状態である。例えば、カードが、アクティベーションにより利用可能になるプリペイドカードである場合、所定の処理を許容する状態は、アクティベーションが行われ、プリペイドカードを利用して商品を購入できる状態である。
【００２４】
また、例えば、カード管理装置１０１は、管理情報に「０」を設定することで、所定の処理を許容しない状態であることを記録し、管理情報に「１」を設定することで、所定の処理を許容する状態であることを記録できる。ここで、また、所定の複数の店舗ＩＤとは、所定の個数以上の店舗ＩＤおよび重複しない所定の個数以上の店舗ＩＤを含む。
【００２５】
図１の例では、カード管理装置１０１は、受信した店舗ＩＤを店舗管理ＤＢ（データベース）１１１に記憶して、所定の複数の店舗ＩＤを受信したか否かを判定する。図１の（２）の例では、受信した店舗は１つであり、所定の複数の店舗ＩＤを受信していないため、カード管理装置１０１は、管理情報を変更しない。
【００２６】
（３）カード管理装置１０１は、カードＩＤと店舗ＩＤとを受信する。図１の例では、カード管理装置１０１は、店舗１０３からカードＩＤ「１」と店舗ＩＤ「１０３」とを受信する。
【００２７】
（４）カード管理装置１０１は、受信したカードＩＤについて、所定の複数の店舗ＩＤを受信した場合、所定の処理を許容する状態に管理情報を変更する。
【００２８】
図１の（４）の例では、カード管理装置１０１は、受信した店舗ＩＤを店舗管理ＤＢ１１１に記憶して、所定の複数の店舗ＩＤを受信したか否かを判定する。図１の例では、受信した店舗は２つであり、所定の複数の店舗ＩＤを受信したため、カード管理装置１０１は、管理情報を「０」から「１」に変更する。これにより、カードＩＤ「１」のカードは、所定の処理を許容する状態になる。
【００２９】
以上説明したように、カード管理装置１０１は、カードＩＤと店舗ＩＤとを受信し、受信したカードＩＤについて、所定の複数の店舗ＩＤを受信したか否かを判定する。カード管理装置１０１は、カードＩＤについて、所定の複数の店舗ＩＤを受信したと判定すると、カードＩＤに対応する所定の処理を許容しない状態から許容する状態に、カードＩＤに関する管理情報を変更する。
【００３０】
これにより、カードは、所定の処理を許容する状態になるため、カードを景品の代わりに用いることができる。例えば、カードが、アクティベーションにより利用可能になるプリペイドカードである場合、スタンプラリーの参加者は、スタンプを所定の個数揃えることにより、利用可能になったプリペイドカードを景品として入手できる。このため、コンビニエンスストアでは、スタンプラリーの参加者に景品を渡す手間をかけなくてもよく、コンビニエンスストアでスタンプラリーを行う際の負担が軽減する。
【００３１】
（カード管理システム２００のシステム構成例）
図２は、カード管理システム２００のシステム構成例を示す説明図である。図２において、カード管理システム２００は、カード管理装置１０１と、サーバ２０１と、店舗端末２０２と、カードリーダ２０３と、を含む構成である。カード管理システム２００において、カード管理装置１０１、サーバ２０１および店舗端末２０２は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。また、店舗端末２０２およびカードリーダ２０３は、ＵＳＢ（Ｕｎｉｖｅｒｓａｌ  Ｓｅｒｉａｌ  Ｂｕｓ）または有線もしくは無線ＬＡＮで店舗端末２０２に接続される。
【００３２】
カード管理装置１０１は、カードが利用可能な状態であるか否かを管理する装置である。具体的には、例えば、カード管理装置１０１は、サーバ等のコンピュータである。また、カード管理装置１０１は、利用店舗管理ＤＢ２２０を有する。利用店舗管理ＤＢ２２０の記憶内容については、図４を用いて後述する。ここで、利用店舗管理ＤＢ２２０は図１の店舗管理ＤＢ１１１に対応する。
【００３３】
サーバ２０１は、カードが利用可能な金銭的価値情報を管理する装置である。例えば、サーバ２０１は、プリペイドカードを管理するカード会社のコンピュータである。また、サーバ２０１は、カード管理ＤＢ２３０を有する。カード管理ＤＢ２３０の記憶内容については、図５を用いて後述する。
【００３４】
店舗端末２０２は、カードの情報および利用要求情報をカード管理装置１０１に送信するコンピュータである。具体的には、例えば、店舗端末２０２は、カードが利用できる店舗に設置されたＰＯＳ（Ｐｏｉｎｔ  ｏｆ  Ｓａｌｅ）端末である。
【００３５】
カードリーダ２０３は、カードの情報を読み取り、読み取ったカードの情報を店舗端末２０２またはカード管理装置１０１に送信する機器である。
【００３６】
（カード管理装置１０１のハードウェア構成例）
図３は、カード管理装置１０１のハードウェア構成例を示すブロック図である。図３において、カード管理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、カード管理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭは記憶部としてＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてＬＡＮ、ＷＡＮ、インターネットなどのネットワーク２１０に接続され、ネットワーク２１０を介して他のコンピュータ（例えば、図２に記載のサーバ２０１、店舗端末２０２）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、カード管理装置１０１は、上述した構成部のほか、例えば、ＳＳＤ（Ｓｏｌｉｄ  Ｓｔａｔｅ  Ｄｒｉｖｅ）、キーボード、マウス、プリンタ、ディスプレイなどを有することにしてもよい。また、図２に示したサーバ２０１、店舗端末２０２についても、カード管理装置１０１と同様のハードウェア構成例により実現することができる。
【００４１】
（利用店舗管理ＤＢ２２０の記憶内容の一例）
図４は、利用店舗管理ＤＢ２２０の記憶内容の一例を示す説明図である。図４において、利用店舗管理ＤＢ２２０は、カード管理装置１０１によって作成、更新され、カード管理装置１０１のメモリ３０２またはディスク３０５に記憶される。
【００４２】
利用店舗管理ＤＢ２２０は、スタンプラリーの参加者が訪れた店舗のＩＤとカードが利用可能であるかを記録する。ここで、以下の実施形態では、カードとしてアクティベーションにより利用可能になるプリペイドカードを例にする。しかしながら、本発明は、他の種類のカードにも適用可能である。利用店舗管理ＤＢ２２０は、カードＩＤ、第一店舗ＩＤ、第二店舗ＩＤ、第三店舗ＩＤ、第四店舗ＩＤおよびアクティベーション依頼フラグの項目を有する。利用店舗管理ＤＢ２２０は、各項目に情報を設定することで、利用店舗情報（例えば、利用店舗情報４００−１〜４００−２）をレコードとして記憶する。
【００４３】
ここで、カードＩＤは、プリペイドカードを識別するための識別子を示す。また、第一店舗ＩＤは、プリペイドカードを有するスタンプラリーの参加者が最初に訪れた店舗の店舗ＩＤを示す。ここで、店舗ＩＤとは、店舗を識別するための識別子である。第二店舗ＩＤ、第三店舗ＩＤ、第四店舗ＩＤは、それぞれ、プリペイドカードを有するスタンプラリーの参加者が２番目、３番目、４番目に訪れた店舗を識別するための識別子を示す。また、これ以降の記載で、第一店舗ＩＤ、第二店舗ＩＤ、第三店舗ＩＤ、第四店舗ＩＤの項目のいずれかの項目を単に店舗ＩＤの項目と称することもある。
【００４４】
ここで、利用店舗管理ＤＢ２２０は、店舗ＩＤの項目を４つ有する。これは、スタンプラリーにおいて、巡回先の数が４つに設定されているためである。このため、巡回先の数が異なる場合、店舗ＩＤの項目の数は異なる。例えば、巡回先の数が５つに設定されている場合、利用店舗管理ＤＢ２２０は、店舗ＩＤの項目を５つ有する。
【００４５】
また、アクティベーション依頼フラグは、プリペイドカードを利用可能にするアクティベーション処理の実行依頼するための条件が満たされているか否かを示す。例えば、アクティベーション依頼フラグは、「０」であるとき、アクティベーション処理の実行を依頼する前提条件が満たされておらず、「１」であるとき、アクティベーション処理の実行を依頼する前提条件が満たされ済みであることを示す。
【００４６】
図４の例では、レコード４００−１は、カードＩＤ「１」のプリペイドカードを有するスタンプラリーの参加者が、店舗ＩＤ「１０１」、「１０３」、「１０２」および「１０６」の店舗を順に訪れ、アクティベーションが依頼済みであることを示す。
【００４７】
（カード管理ＤＢ２３０の記憶内容の一例）
図５は、カード管理ＤＢ２３０の記憶内容の一例を示す説明図である。図５において、カード管理ＤＢ２３０は、サーバ２０１によって作成、更新され、サーバ２０１のメモリまたはディスクに記憶される。
【００４８】
カード管理ＤＢ２３０は、プリペイドカードが利用可能であるか否かおよび残高を記録する。カード管理ＤＢ２３０は、カードＩＤ、アクティベーションフラグおよび残高の項目を有する。カード管理ＤＢ２３０は、各項目に情報を設定することで、カード情報（例えば、カード情報５００−１〜５００−２）をレコードとして記憶する。
【００４９】
ここで、カードＩＤは、プリペイドカードを識別するための識別子を示す。また、アクティベーションフラグは、カードＩＤのプリペイドカードが利用可能であるか否かを示す。例えば、アクティベーションフラグが「１」である場合、プリペイドカードは利用可能であり、アクティベーションフラグが「０」である場合、プリペイドカードは利用不可能である。残高は、カードＩＤのプリペイドカードが利用可能な金額の残りを示す。単位は、例えば円である。
【００５０】
図５の例では、レコード５００−１は、カードＩＤ「１」のカードが、利用可能であり、残高が１０００円であることを示す。
【００５１】
（スタンプ台６００の一例）
図６は、スタンプ台６００の一例を示す説明図である。スタンプ台６００は、カードリーダ２０３およびカード取り付け位置６０１を有する。スタンプ台６００は、スタンプラリーの参加者が、図７で後述するスタンプ用紙７００にスタンプを押すためのものである。
【００５２】
スタンプ台６００は、例えば、ＵＳＢまたは有線もしくは無線ＬＡＮで店舗端末２０２に接続される。カードリーダ２０３は、スタンプ用紙７００に取り付けられたプリペイドカードのカードＩＤを読み取る機能を有する。また、カード取り付け位置６０１は、スタンプを押す際にスタンプ用紙７００を置くための場所である。
【００５３】
例えば、スタンプラリーの参加者が、スタンプ用紙７００をカード取り付け位置６０１に置き、スタンプ用紙７００の券面にスタンプを押す行為を行う際に、スタンプ用紙７００がカード取り付け位置６０１に置かれている間に、カードリーダ２０３はプリペイドカードのカードＩＤを読み取り、店舗端末２０２に送信する。例えば、プリペイドカードのカードＩＤがバーコードで記録されている場合、カードリーダ２０３は、バーコードリーダである。店舗端末２０２は、読み取ったカードＩＤおよび、カードリーダ２０３内の図示しないメモリに記憶されている店舗ＩＤをカード管理装置１０１に送信する。また、カードリーダ２０３は、スタンプ用紙７００がカード取り付け位置６０１に置かれた際、プリペイドカードのカードＩＤを読み取り、店舗端末２０２に送信してもよい。また、店舗の従業員が、スタンプラリーの参加者の代わりにスタンプ用紙７００にスタンプを押すことにしてもよい。
【００５４】
また、例えば、カードリーダ２０３が、店舗ＩＤを記憶し、プリペイドカードのカードＩＤを読み取った後、カードリーダ２０３が、カードＩＤと店舗ＩＤをカード管理装置１０１に送信することもできる。
【００５５】
また、スタンプ台６００は、音や振動を発生する機能を有することもできる。この場合、例えば、カードＩＤおよび店舗ＩＤをカード管理装置１０１に送信した後、利用店舗管理ＤＢ２２０の当該カードＩＤに対応するレコードに同じ店舗ＩＤが、すでに記録されている場合、音や振動を発生して、エラーを通知することができる。
【００５６】
（スタンプ用紙７００の一例）
図７は、スタンプ用紙７００の一例を示す説明図である。スタンプ用紙７００は、プリペイドカード７０１およびスタンプ位置７０２を有する。ここで、プリペイドカード７０１は、所定の数スタンプを押した後に、スタンプ用紙７００から外してプリペイドカードとして利用できるものである。例えば、プリペイドカード７０１は、スタンプ用紙７００にのりづけされ、プリペイドカード７０１が利用可能となった後に取り外して、利用することができる。また、プリペイドカード７０１は、スタンプ用紙７００と一体化されたままで利用できるものであっても構わない。
【００５７】
ここで、プリペイドカード７０１には、カードＩＤが記録されている。図７の例では、プリペイドカード７０１には、バーコードにより、カードＩＤが記録されている。また、例えば、プリペイドカード７０１には、ＱＲコードにより、カードＩＤが記録されていてもよい。また、プリペイドカード７０１にＲＦＩＤチップ等の無線タグが設けられ、該無線タグによりカードＩＤが記録されていてもよい。
【００５８】
また、スタンプ位置７０２は、スタンプラリーの参加者が、スタンプを押す券面上の領域である。ここで、スタンプ位置７０２において、スタンプを押す箇所は、プリペイドカード７０１を利用可能にするための店舗ＩＤと同じ数だけ設定することができる。この場合、スタンプラリーの参加者は、スタンプが一杯になったことで、プリペイドカード７０１が利用可能になったことを知ることができる。
【００５９】
また、図７の例では、プリペイドカード７０１は、スタンプ用紙７００に取り付けられた形態であるが、プリペイドカード７０１そのものをスタンプ用紙７００とすることができる。この場合、スタンプラリーの参加者は、プリペイドカード７０１にスタンプを押すことになる。また、スタンプ用紙７００からプリペイドカード７０１を取り外すと、どの店舗でスタンプを押したか、スタンプラリーの参加者は分からなくなる。しかしながら、プリペイドカード７０１そのものをスタンプ用紙７００とする場合、どの店舗でスタンプを押したか、スタンプラリーの参加者は分かる。このため、プリペイドカード７０１を利用可能な店舗がスタンプを押す行為が行われた店舗に限定される場合、スタンプラリーの参加者は、プリペイドカード７０１の利用可能な店舗をプリペイドカード７０１のスタンプから分かるという効果がある。
【００６０】
（カード管理装置１０１の機能的構成例）
図８は、カード管理装置１０１の機能的構成例を示すブロック図である。図８において、カード管理装置１０１は、受信部８０１と、判定部８０２と、変更部８０３と、送信部８０４と、を含む構成である。受信部８０１と、判定部８０２と、変更部８０３と、送信部８０４と、を含む制御部は、具体的には、例えば、図３に示したメモリ３０２などの記憶装置に記憶されたプログラムをＣＰＵ３０１に実行させることにより、その機能を実現する。各機能部の処理結果は、例えば、図３に示したメモリ３０２などの記憶装置に記憶される。
【００６１】
受信部８０１は、カードの識別子と店舗の識別子とを受信する機能を有する。例えば、受信部８０１は、店舗端末２０２またはスタンプ台６００から、プリペイドカードのカードＩＤおよびスタンプラリーの参加者が訪れた店舗の店舗ＩＤを受信する。
【００６２】
また、受信部８０１は、プリペイドカードの利用要求を受信する。例えば、受信部８０１は、店舗端末２０２から、カードＩＤ、店舗ＩＤおよび利用金額を含むカードの利用要求を受信する。また、受信部８０１は、プリペイドカードの承認通知を受信する。例えば、送信部８０４が、カード会社のサーバ２０１に、カードＩＤおよび利用金額を送信した後、受信部８０１は、カード会社のサーバ２０１から承認結果を受信する。
【００６３】
判定部８０２は、受信部８０１が受信したカードの識別子について、所定の複数の店舗の識別子を受信したか否かを判定する機能を有する。例えば、判定部８０２は、利用店舗管理ＤＢ２２０において、受信したカードＩＤに対応するレコードの店舗ＩＤの項目に、受信した店舗ＩＤが記憶されていない場合、受信した店舗ＩＤを記録する。受信した店舗ＩＤを記録した後、判定部８０２は、記録した店舗ＩＤの数が所定の個数以上であるか否かを判定する。例えば、図４の利用店舗管理ＤＢ２２０の場合、判定部８０２は、記録した店舗ＩＤの数が４以上であるか否かを判定する。
【００６４】
また、判定部８０２は、所定の複数の店舗の識別子を受信したか否かの判定を、利用店舗管理ＤＢ２２０の店舗ＩＤの項目に店舗ＩＤがすべて記憶されたか否かで判定することができる。例えば、図４の利用店舗管理ＤＢ２２０の場合、判定部８０２は、第一店舗ＩＤ、第二店舗ＩＤ、第三店舗ＩＤおよび第四店舗ＩＤのすべてに店舗ＩＤが記憶されたか否かで判定することもできる。また、判定部８０２は、第一店舗ＩＤ、第二店舗ＩＤ、第三店舗ＩＤおよび第四店舗ＩＤの項目に空欄がないかで判定することもできる。
【００６５】
また、判定部８０２は、受信部８０１が受信したプリペイドカードの利用要求に含まれるカードＩＤに対応するレコードのアクティベーション依頼フラグが「１」であるか否かを判定することができる。さらに、判定部８０２は、当該レコードの店舗ＩＤに、利用要求に含まれる店舗ＩＤが記録されているか否かを判定することができる。
【００６６】
変更部８０３は、判定部８０２が、カードの識別子について、所定の複数の店舗の識別子を受信したと判断すると、カードの識別子に対応する所定の処理を許容しない状態から許容する状態に、カードの識別子に関する管理情報を変更する。
【００６７】
例えば、変更部８０３は、判定部８０２が記録した店舗ＩＤの数が所定の個数以上であると判定した場合、利用店舗管理ＤＢ２２０の受信したカードＩＤのレコードのアクティベーション依頼フラグを０から１に変更する。また、例えば、変更部８０３は、判定部８０２が利用店舗管理ＤＢ２２０の店舗ＩＤの項目に店舗ＩＤがすべて記憶されたと判定した場合、アクティベーション依頼フラグを「０」から「１」に変更する。
【００６８】
送信部８０４は、変更部８０３がアクティベーション依頼フラグを「０」から「１」に変更した後、カードのアクティベーションを依頼する通知を送信する機能を有する。例えば、送信部８０４は、カード会社のサーバ２０１に、受信部８０１が受信したカードＩＤとアクティベーション依頼を送信する。
【００６９】
また、送信部８０４は、判定部８０２が、アクティベーション依頼フラグが「１」であり、かつ、カードの利用要求に含まれる店舗ＩＤが記憶されていると判定した場合、カードＩＤおよび利用金額をカード会社のサーバ２０１に送信する。
【００７０】
また、送信部８０４は、受信部８０１がカード会社のサーバ２０１から承認結果を受信した場合、課金終了結果またはエラーを店舗端末２０２に送信する。
【００７１】
また、送信部８０４は、判定部８０２が利用店舗管理ＤＢ２２０において、受信したカードＩＤに対応するレコードの店舗ＩＤに受信した店舗ＩＤが記憶されていると判定した場合、エラーをスタンプ台６００に通知する。これにより同一カードへの同一店舗でのスタンプ重複を防ぐことができる。
【００７２】
また、送信部８０４は、判定部８０２が、アクティベーション依頼フラグが「１」でない、または、カードの利用要求に含まれる店舗ＩＤが記憶されていないと判定した場合、エラーを店舗端末２０２に通知することができる。これにより利用できないカードが利用されることを防ぐことができる。
【００７３】
（カードアクティベーション処理手順の一例）
図９は、カード管理装置１０１のカードアクティベーション処理手順の一例を示すフローチャートである。図９において、まず、カード管理装置１０１は、カードＩＤ、店舗ＩＤを受信したか否かを判断する（ステップＳ９０１）。例えば、カード管理装置１０１は、店舗端末２０２またはスタンプ台６００から、カードＩＤ、店舗ＩＤを受信したか否かを判断する。
【００７４】
カードＩＤ、店舗ＩＤを受信しない場合（ステップＳ９０１：Ｎｏ）、カード管理装置１０１の処理は、ステップＳ９０１に戻り、カードＩＤ、店舗ＩＤの受信を待つ。カードＩＤ、店舗ＩＤを受信した場合（ステップＳ９０１：Ｙｅｓ）、カード管理装置１０１は、店舗ＩＤが登録済みか否かを判断する（ステップＳ９０２）。例えば、カード管理装置１０１は、利用店舗管理ＤＢ２２０において、受信したカードＩＤに対応するレコードの店舗ＩＤに、受信した店舗ＩＤと同一の店舗ＩＤが記録されているか否かを判断する。
【００７５】
店舗ＩＤが登録済みである場合（ステップＳ９０２：Ｙｅｓ）、カード管理装置１０１は、エラーをスタンプ台６００に通知する（ステップＳ９０５）。例えば、カード管理装置１０１は、スタンプ台６００に直接エラーを通知することができる。また、カード管理装置１０１は、店舗端末２０２にエラーを通知して、店舗端末２０２がエラーをスタンプ台６００に通知することができる。
【００７６】
エラーを受信したスタンプ台６００は、例えば、振動することにより、スタンプラリーの参加者にすでに登録済みの店舗で再度スタンプが押されたことを通知できる。また、スタンプ台６００は、振動以外の方法でエラーを通知することもできる。例えば、スタンプ台６００は、音や光でエラーを通知することもできる。
【００７７】
店舗ＩＤが登録済みでない場合（ステップＳ９０２：Ｎｏ）、カード管理装置１０１は、カードＩＤに対応する店舗ＩＤの項目にＳ９０１で受信した店舗ＩＤを記録する（ステップＳ９０３）。例えば、カード管理装置１０１は、受信したカードＩＤに対応するレコードにおいて、店舗ＩＤが記録されていない店舗ＩＤの項目に店舗ＩＤを記録する。また、カード管理装置１０１は、店舗ＩＤを順番に記録することができる。具体的には、第一店舗ＩＤの項目に店舗ＩＤが記録されていない場合、カード管理装置１０１は、第一店舗ＩＤの項目に店舗ＩＤを記録する。また、第一店舗ＩＤの項目に店舗ＩＤが記録され、第二店舗ＩＤの項目に店舗ＩＤが記録されていない場合、カード管理装置１０１は、第二店舗ＩＤの項目に店舗ＩＤを記録する。
【００７８】
この後、カード管理装置１０１は、Ｓ９０３で処理対象としたカードＩＤにつき、所定数の店舗ＩＤが記録されているか否かを判断する（ステップＳ９０４）。例えば、カード管理装置１０１は、利用店舗管理ＤＢ２２０の店舗ＩＤの項目の中で、店舗ＩＤが記録された項目が所定数以上であるか否かを判断する。また、店舗ＩＤの項目が所定数個存在する場合、カード管理装置１０１は、利用店舗管理ＤＢ２２０の店舗ＩＤの項目のすべてに店舗ＩＤが記録されたか否かを判断することもできる。所定数の店舗ＩＤが記録されない場合（ステップＳ９０４：Ｎｏ）、カード管理装置１０１の処理は、ステップＳ９０１に戻る。
【００７９】
所定数の店舗ＩＤが記録された場合（ステップＳ９０４：Ｙｅｓ）、カード管理装置１０１は、アクティベーション依頼フラグを「１」にする（ステップＳ９０６）。例えば、カード管理装置１０１は、利用店舗管理ＤＢ２２０の受信したカードＩＤのレコードのアクティベーション依頼フラグを「０」から「１」に更新する。
【００８０】
この後、カード管理装置１０１は、アクティベーション依頼を送信する（ステップＳ９０７）。例えば、カード管理装置１０１は、カード会社のサーバ２０１にカードＩＤとアクティベーション依頼を送信する。サーバ２０１は、カード管理ＤＢ２３０の受信したカードＩＤのレコードのアクティベーションフラグを「０」から「１」にする。これにより、カードＩＤのプリペイドカードが利用可能になる。
【００８１】
これにより、本フローチャートにおける一連の処理は終了する。本フローチャートを実行することで、カード管理装置１０１は、店舗ＩＤを記録し、所定数の店舗ＩＤが記録されたプリペイドカードを利用可能にすることができる。
【００８２】
（カード利用可否判断処理手順の一例）
図１０は、カード管理装置１０１のカード利用可否判断処理手順の一例を示すフローチャートである。図１０において、まず、カード管理装置１０１は、カードの利用要求を受信したか否かを判断する（ステップＳ１００１）。例えば、カード管理装置１０１は、店舗端末２０２から、カードＩＤ、店舗ＩＤおよび利用金額を含むプリペイドカードの利用要求を受信したか否かを判断する。
【００８３】
カードの利用要求を受信しない場合（ステップＳ１００１：Ｎｏ）、カード管理装置１０１の処理は、ステップＳ１００１に戻り、カードの利用要求の受信を待つ。カードの利用要求を受信した場合（ステップＳ１００１：Ｙｅｓ）、カード管理装置１０１は、アクティベーション依頼フラグが「１」であるか否かを判断する（ステップＳ１００２）。例えば、カード管理装置１０１は、利用店舗管理ＤＢ２２０の受信したカードＩＤのレコードのアクティベーション依頼フラグが「１」であるか否かを判断する。
【００８４】
アクティベーション依頼フラグが「１」でない場合（ステップＳ１００２：Ｎｏ）、カード管理装置１０１の処理は、ステップＳ１００８に進む。アクティベーション依頼フラグが「１」である場合（ステップＳ１００２：Ｙｅｓ）、カード管理装置１０１は、利用要求の送信元である店舗のＩＤが店舗ＩＤに含まれるか否かを判断する（ステップＳ１００３）。例えば、カード管理装置１０１は、受信した利用要求に含まれる店舗ＩＤが、受信したカードＩＤと対応づけて利用店舗管理ＤＢ２２０に記憶されているレコードの店舗ＩＤに記録されているか否かを判断する。
【００８５】
利用要求に含まれる店舗ＩＤがレコード内の店舗ＩＤに含まれない場合（ステップＳ１００３：Ｎｏ）、カード管理装置１０１の処理は、ステップＳ１００８に進む。利用要求の店舗ＩＤがレコード内の店舗ＩＤに含まれる場合（ステップＳ１００３：Ｙｅｓ）、カード管理装置１０１は、Ｓ１００１で受信したカードＩＤ、利用金額を送信する（ステップＳ１００４）。例えば、カード管理装置１０１は、カード会社のサーバ２０１に、カードＩＤと利用金額とを含むプリペイドカード利用の承認要求を送信する。
【００８６】
カード管理装置１０１は、通知を受信したか否かを判断する（ステップＳ１００５）。例えば、カード管理装置１０１は、カード会社のサーバ２０１から、プリペイドカード利用の承認要求に対する結果の通知を受信したか否かを判断する。通知を受信しない場合（ステップＳ１００５：Ｎｏ）、カード管理装置１０１の処理は、ステップＳ１００５に戻り、通知の受信を待つ。
【００８７】
通知を受信した場合（ステップＳ１００５：Ｙｅｓ）、カード管理装置１０１は、承認する通知であるか否かを判断する（ステップＳ１００６）。例えば、カード会社のサーバ２０１は、カード管理装置１０１が送信したカードＩＤのカードの残高が利用金額を上回る場合、承認する通知をカード管理装置１０１に送信する。また、カード会社のサーバ２０１は、カードＩＤと対応づけてカード管理ＤＢ２０３に記憶されている残高を、利用金額を差し引いた金額に更新する。承認する通知には、更新後の金額即ち、利用後のカードの残高に関する情報を含めても良い。一方、承認する通知でない場合（ステップＳ１００６：Ｎｏ）、カード管理装置１０１は、エラーを通知する（ステップＳ１００８）。例えば、承認する通知でない場合、カード管理装置１０１は、店舗端末２０２にプリペイドカードの利用要求が承認されなかったことを通知する。また、例えば、アクティベーション依頼フラグが「１」でない、または、利用要求の店舗のＩＤが店舗ＩＤに含まれない場合、カード管理装置１０１は、店舗端末２０２にプリペイドカードの利用が可能でないことを通知する。
【００８８】
承認する通知である場合（ステップＳ１００６：Ｙｅｓ）、カード管理装置１０１は、課金終了結果を通知する（ステップＳ１００７）。例えば、カード管理装置１０１は、店舗端末２０２にカードの利用要求が承認されたこと、および、利用後のカードの残高を通知する。
【００８９】
これにより、本フローチャートにおける一連の処理は終了する。本フローチャートを実行することで、カード管理装置１０１は、スタンプラリーの参加者がスタンプを押した店舗でプリペイドカードを利用可能にできる。
【００９０】
（カードアクティベーション処理の一実施例）
図１１は、カード管理装置１０１のカードアクティベーション処理の一実施例を示す説明図である。図１１の例では、スタンプラリーの参加者が、店舗を訪れ、プリペイドカードに店舗ＩＤを記録して、カードＩＤ「１」のプリペイドカードが、利用不可能な状態から利用可能な状態になる例である。また、図１１の例では、利用可能な状態になるまでに記録する店舗ＩＤの所定の個数は４である。
【００９１】
（１）スタンプラリーの参加者が、店舗ＩＤが「１０１」の店舗を訪れ、スタンプ用紙にスタンプを押す。その際に、店舗ＩＤが「１０１」の店舗内に設置されたスタンプ台６００のカードリーダ２０３がスタンプ用紙７００のプリペイドカード７０１のカードＩＤ「１」を読み取る。これにより、カード管理装置１０１は、利用店舗管理ＤＢ２２０内でカードＩＤ「１」に対応するレコード１１０１の第一店舗ＩＤに「１０１」を記録する。この場合、店舗ＩＤは１つであるため、アクティベーション依頼フラグは「０」のまま変化されない。
【００９２】
（２）スタンプラリーの参加者が、店舗ＩＤが「１０３」の店舗を訪れ、スタンプ用紙にスタンプを押す。その際に、店舗ＩＤが「１０３」の店舗内に設置されたスタンプ台６００のカードリーダ２０３がスタンプ用紙７００のプリペイドカード７０１のカードＩＤ「１」を読み取る。これにより、カード管理装置１０１は、利用店舗管理ＤＢ２２０のレコード１１０１の第二店舗ＩＤに「１０３」を記録する。この場合、店舗ＩＤは２つであるため、アクティベーション依頼フラグは「０」のまま変化されない。
【００９３】
（３）スタンプラリーの参加者が、店舗ＩＤが「１０２」の店舗を訪れ、スタンプ用紙にスタンプを押す。その際に、店舗ＩＤが「１０２」の店舗内に設置されたスタンプ台６００のカードリーダ２０３がスタンプ用紙７００のプリペイドカード７０１のカードＩＤ「１」を読み取る。これにより、カード管理装置１０１は、利用店舗管理ＤＢ２２０のレコード１１０１の第三店舗ＩＤに「１０２」を記録する。この場合、店舗ＩＤは３つであるため、アクティベーション依頼フラグは「０」のまま変化されない。
【００９４】
（４）スタンプラリーの参加者が、店舗ＩＤが「１０６」の店舗を訪れ、スタンプ用紙にスタンプを押す。その際に、店舗ＩＤが「１０６」の店舗内に設置されたスタンプ台６００のカードリーダ２０３がスタンプ用紙７００のプリペイドカード７０１のカードＩＤ「１」を読み取る。これにより、カード管理装置１０１は、利用店舗管理ＤＢ２２０のレコード１１０１の第四店舗ＩＤに「１０６」を記録する。この場合、店舗ＩＤは４つであるため、カード管理装置１０１は、アクティベーション依頼フラグを「０」から「１」に更新する。また、カード管理装置１０１は、カード会社のサーバ２０１にアクティベーション依頼を送信する。
【００９５】
（５）サーバ２０１は、カード管理ＤＢ２３０内でカードＩＤ「１」に対応するレコード１１１１のアクティベーションフラグを「０」から「１」に変更する。これにより、カードＩＤ「１」のプリペイドカードが、利用不可能な状態から利用可能な状態になる。
【００９６】
（カード利用可否判断処理の一実施例）
図１２は、カード管理装置１０１のカード利用可否判断処理の一実施例を示す説明図である。図１２の例では、スタンプラリーの参加者が、利用可能な状態になったカードＩＤ「１」のプリペイドカードを店舗で利用する例である。
【００９７】
（１）スタンプラリーの参加者が、店舗ＩＤ「１０４」の店舗を訪れ、カードＩＤ「１」のプリペイドカードを利用して、５００円の商品を購入しようとする。この場合、利用店舗管理ＤＢ２２０でカードＩＤ「１」に対応するレコード１２０１の店舗ＩＤには、店舗ＩＤ「１０４」が記録されていない。このため、カード管理装置１０１は、カードＩＤ「１」のプリペイドカードの店舗ＩＤ「１０４」の店舗での利用を許可せず、エラーを通知する。
【００９８】
（２）スタンプラリーの参加者が、店舗ＩＤ「１０６」の店舗を訪れ、カードＩＤ「１」のプリペイドカードを利用して、５００円の商品を購入しようとする。この場合、利用店舗管理ＤＢ２２０のレコード１２０１の店舗ＩＤには、店舗ＩＤ「１０６」が記録されている。このため、カード管理装置１０１は、カードＩＤ「１」のプリペイドカードの店舗ＩＤ「１０６」の店舗での利用を許可し、カード会社のサーバ２０１にカードＩＤおよび利用金額を含む利用の承認要求を送信する。
【００９９】
これにより、サーバ２０１は、カード管理ＤＢ２３０でカードＩＤ「１」に対応するレコード１２１１の残高が「１０００」であり、利用金額「５００」より大きいため、カード管理装置１０１からの承認要求に対して承認する。この後、サーバ２０１は、カード管理ＤＢ２３０のレコード１２１１の残高を「１０００」から「５００」に変更し、承認する通知をカード管理装置１０１に送信する。これにより、スタンプラリーの参加者は、カードＩＤ「１」のプリペイドカードを店舗ＩＤ「１０６」の店舗で利用することができるようになる。
【０１００】
以上説明したように、カード管理装置１０１は、カードＩＤと店舗ＩＤとを受信し、受信したカードＩＤについて、所定の複数の店舗ＩＤを受信したか否かを判定する。カード管理装置１０１は、カードＩＤについて、所定の複数の店舗ＩＤを受信したと判定すると、カードＩＤに対応する所定の処理を許容しない状態から許容する状態に、カードＩＤに関する管理情報を変更する。
【０１０１】
これにより、カードは、所定の処理を許容する状態になるため、カードを景品の代わりに用いることができる。このため、コンビニエンスストアでは、スタンプラリーの参加者に景品を渡す手間をかけなくてもよく、コンビニエンスストアでスタンプラリーを行う際の負担が軽減する。
【０１０２】
また、カード管理装置１０１は、カードＩＤを読み取り可能なカードリーダ２０３と通信可能な店舗に設置された店舗端末２０２から、カードＩＤと店舗ＩＤとを受信することができる。
【０１０３】
これにより、カード管理装置１０１は、スタンプラリーの参加者が店舗を訪れた際に、店舗から送信されるカードＩＤと店舗ＩＤとを受信することができる。このため、カード管理装置１０１は、スタンプラリーの参加者が所定の複数の店舗を訪れた場合に、所定の処理を許容しない状態から許容する状態に、カードＩＤに関する管理情報を変更できる。
【０１０４】
また、カード管理装置１０１は、受信したカードＩＤと受信した店舗ＩＤとを対応付けて記録し、カードＩＤと対応付けて記録される店舗ＩＤの種類が所定数以上であるか否かを判定することができる。
【０１０５】
これにより、カード管理装置１０１は、スタンプラリーの参加者が、異なる複数の所定数以上の店舗を訪れた際に、所定の処理を許容しない状態から許容する状態に、カードＩＤに関する管理情報を変更できる。
【０１０６】
また、カード管理装置１０１は、カードＩＤに対応付けられた金銭的価値情報の利用を許可しない状態から許可する状態に変更することができる。
【０１０７】
これにより、カード管理装置１０１は、スタンプラリーの参加者が、プリペイドカードを利用可能な状態にすることができる。このため、カード管理装置１０１は、最初無価値であったプリペイドカードを、アクティベーションすることにより価値のあるものとして、景品とすることができる。
【０１０８】
また、カード管理装置１０１は、カードＩＤに対応付けられた金銭的価値情報を、カードＩＤに対応付けて記録された店舗ＩＤで識別される店舗で利用を許可することができる。
【０１０９】
これにより、カード管理装置１０１は、スタンプラリーの参加者が訪れた店舗でプリペイドカードを利用可能とすることができる。言い換えれば、カード管理装置１０１は、スタンプラリーの参加者が訪れない店舗でプリペイドカードを利用不可能とすることができる。スタンプラリーを行うためには、スタンプ台６００を用意する等の店舗に負担が生じる。このため、カード管理装置１０１は、スタンプラリーの負担を行っている店舗でプリペイドカードを利用可能とすることができる。
【０１１０】
なお、上記説明においては、プリベイドカードの利用をスタンプが押された店舗でのみ許可する、即ち、カードＩＤと対応づけて利用店舗管理ＤＢ２０３に記録されている店舗ＩＤと同じ店舗ＩＤを含んだカードの利用要求である場合のみ許可する態様を示した。これを、いずれの店舗でもプリベイドカードの利用を許可するように変更することもできる。いずれの店舗でもプリベイドカードの利用を許可する場合は、図１０のステップＳ１００３の処理を行わず、ステップＳ１００２でＹｅｓの場合、ステップＳ１００４に処理を進めればよい。
【０１１１】
なお、本実施の形態で説明したカード管理方法は、予め用意されたプログラムをパーソナル・コンピュータやワークステーション等のコンピュータで実行することにより実現することができる。本カード管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本カード管理プログラムは、インターネット等のネットワークを介して配布してもよい。
【０１１２】
上述した実施の形態に関し、さらに以下の付記を開示する。
【０１１３】
（付記１）カードの識別子と店舗の識別子とを受信し、
受信した前記カードの識別子について、所定の複数の店舗の識別子を受信したか否かを判定し、
前記カードの識別子について、前記所定の複数の店舗の識別子を受信したと判定すると、前記カードの識別子に対応する所定の処理を許容しない状態から許容する状態に、前記カードの識別子に関する管理情報を変更する、
処理をコンピュータに実行させることを特徴とするカード管理プログラム。
【０１１４】
（付記２）前記受信する処理は、
前記カードの識別子を読み取り可能なカードリーダと通信可能な前記店舗に設置された端末から、前記カードの識別子と前記店舗の識別子とを受信することを特徴とする付記１に記載のカード管理プログラム。
【０１１５】
（付記３）前記変更する処理は、
前記カードの識別子に対応付けられた金銭的価値情報の利用を許可しない状態から許可する状態に前記管理情報を変更することを特徴とする付記１または２に記載のカード管理プログラム。
【０１１６】
（付記４）受信した前記カードの識別子と受信した前記店舗の識別子とを対応付けて記録する、
処理を前記コンピュータに実行させ、
前記判定する処理は、
前記カードの識別子と対応付けて記録される前記店舗の識別子の種類が所定数以上であるか否かを判定する、
ことを特徴とする付記１〜３のいずれか一項に記載のカード管理プログラム。
【０１１７】
（付記５）前記カードの識別子に対応付けて記録された前記店舗の識別子で識別される店舗での前記カードの識別子に対応付けられた金銭的価値情報の利用を許可する、
処理を前記コンピュータに実行させることを特徴とする付記４に記載のカード管理プログラム。
【０１１８】
（付記６）カードの識別子と店舗の識別子とを受信し、
受信した前記カードの識別子について、所定の複数の店舗の識別子を受信したか否かを判定し、
前記カードの識別子について、前記所定の複数の店舗の識別子を受信したと判定すると、前記カードの識別子に対応する所定の処理を許容しない状態から許容する状態に、前記カードの識別子に関する管理情報を変更する、
処理をコンピュータに実行させるカード管理プログラムを記録したことを特徴とする前記コンピュータに読み取り可能な記録媒体。
【０１１９】
（付記７）カードの識別子と店舗の識別子とを受信し、
受信した前記カードの識別子について、所定の複数の店舗の識別子を受信したか否かを判定し、
前記カードの識別子について、前記所定の複数の店舗の識別子を受信したと判定すると、前記カードの識別子に対応する所定の処理を許容しない状態から許容する状態に、前記カードの識別子に関する管理情報を変更する、
処理をコンピュータが実行することを特徴とするカード管理方法。
【０１２０】
（付記８）カードの識別子を読み取り可能なカードリーダと、
前記カードリーダと通信可能な店舗に設置された端末と、
前記端末から前記カードの識別子と前記店舗の識別子とを受信し、受信した前記カードの識別子について、所定の複数の店舗の識別子を受信したか否かを判定し、前記所定の複数の店舗の識別子を受信したと判定すると、前記カードの識別子に対応する所定の処理を許容しない状態から許容する状態に、前記カードの識別子に関する管理情報を変更するカード管理装置と、
を有することを特徴とするカード管理システム。
【符号の説明】
【０１２１】
１０１  カード管理装置
２０１  サーバ
２０２  店舗端末
２０３  カードリーダ
８０１  受信部
８０２  判定部
８０３  変更部
８０４  送信部
【図１】
0006601117.tif 000002
【図２】
0006601117.tif 000003
【図３】
0006601117.tif 000004
【図４】
0006601117.tif 000005
【図５】
0006601117.tif 000006
【図６】
0006601117.tif 000007
【図７】
0006601117.tif 000008
【図８】
0006601117.tif 000009
【図９】
0006601117.tif 000010
【図１０】
0006601117.tif 000011
【図１１】
0006601117.tif 000012
【図１２】
0006601117.tif 000013